(57)【要約】本発明は、電磁反射器を形成する装置に関するものであり、該装置が、展開可能な支持骨組み（１００）を含み、該骨組みが、少なくとも一つのシートエレメント（２００）を有し、該シートエレメントが、展開状態において、反射面を形成するように構成され、展開可能な支持骨組み（１００）が、少なくとも一つのテレスコピックに展開可能なアーム（１２０）を含むことを特徴とする装置である。
2004521544.tif 000002
【特許請求の範囲】
【請求項１】
展開可能な支持骨組み（１００）を含み、該骨組みが、少なくとも一つのシートエレメント（２００）を有し、該シートエレメントが、展開状態において反射面を形成するように構成され、展開可能な支持骨組み（１００）が、少なくとも一つのテレスコピックに展開可能なアーム（１２０）を一つ含むことを特徴とする、電磁反射器を形成する装置。
【請求項２】
支持骨組み（１００）を含み、該骨組みが、少なくとも一つのシートエレメント（２００）を有し、該シートエレメントが、反射面を形成するように構成され、そのシート（２００）が、トリコット繊維で形成されていることを特徴とする、電磁反射器を形成する装置。
【請求項３】
支持骨組み（１００）を含み、該骨組みが、複数のシートエレメント（２００）を有し、それらのシートエレメント（２００）が、組み合わせによって反射多面体を形成するように構成され、さらに、骨組みが少なくとも一つの水平外部稜線を呈するように、骨組みを方向付けさせるのに適合した、空気力学的挙動制御手段（３１０、３２２、３２４）を含むことを特徴とする、電磁反射器となる装置。
【請求項４】
支持骨組み（１００）が、展開可能であることを特徴とする、請求項２または請求項３に記載の装置。
【請求項５】
支持骨組み（１００）が、テレスコピックに展開可能なアーム（１２０）を少なくとも一つ含むことを特徴とする、請求項２から請求項４のいずれか一つに記載の装置。
【請求項６】
シート（２００）は、トリコット繊維で形成されていることを特徴とする、請求項１または請求項３のいずれか一つに記載の装置。
【請求項７】
その構造体の方向付けと回転の制御を確実に行う手段（３１０、３２２、３２４）を含むことを特徴とする、請求項１または請求項２のいずれか一つに記載の装置。
【請求項８】
展開可能な支持骨組みが、少なくとも一つの水平の外部稜線を呈するように、骨組みを方向付けさせるのに適した、空気力学的挙動制御手段（３１０、３２２、３２４）を含むことを特徴とする、請求項２または請求項７のいずれか一つに記載の装置。
【請求項９】
展開可能な支持骨組み（１００）が、複数のシートエレメント（２００）を有し、それらのシートエレメント（２００）が、組み合わせによって反射多面体を形成するように構成されていることを特徴とする、請求項１から請求項８に記載の装置。
【請求項１０】
展開可能な支持骨組み（１００）が中央結節部（１１０）を含み、該結節部が、少なくとも一つのテレスコピックに展開可能なアームを有することを特徴とする、請求項１から請求項９のいずれか一つに記載の装置。
【請求項１１】
支持骨組み（１００）が、中央結節部（１１０）につながれたテレスコピックの支柱（１２０）と、中央結節部（１１０）に関節が動く状態で備え付けられた中央旋回アームを複数含むことを特徴とする、請求項１から請求項１０のいずれか一つに記載の装置。
【請求項１２】
支持骨組み（１００）が、少なくとも一つの補助円筒管（１２４）をスライドによって収納することのできる主要円筒管（１２２）を含む、テレスコピックの支柱（１２０）を含み、主な円筒状断片（１２２）が、補助アーム（１２４）が突き出ている開口端部によって、中央結節部（１１０）に固定されていることを特徴とする、請求項１から請求項１１のいずれか一つに記載の装置。
【請求項１３】
支持骨組み（１００）が、テレスコピックの支柱（１２０）と四つの旋回アーム（１３０）を含むことを特徴とする、請求項１から請求項１２のいずれか一つの装置。
【請求項１４】
支持骨組み（１００）のアーム（１２０、１３０）のそれぞれが、テレスコピックであり、また、中央結節部（１１０）につながれていることを特徴とする、請求項１から請求項１３のいずれか一つに記載の装置。
【請求項１５】
支持骨組み（１００）が、六つのテレスコピックのアームを含むことを特徴とする、請求項１４に記載の装置。
【請求項１６】
旋回アーム（１３０）を伸ばすように働きかけるのに適した手段（１７０）を含むことを特徴とする、請求項１から請求項１５のいずれか一つに記載の装置。
【請求項１７】
旋回アーム（１３０）に働きかける手段が、張り綱（１４０）を含むことを特徴とする、請求項１６に記載の装置。
【請求項１８】
旋回アーム（１３０）に働きかける手段が、エラストマー製のブロック（１７０）を含むことを特徴とする、請求項１６または請求項１７のいずれかに記載の装置。
【請求項１９】
テレスコピックのアーム（１２０）を拡げた位置に確実にロックするのに適した手段（１６０）をさらに含むことを特徴とする、請求項１から１８のいずれか一つに記載の装置。
【請求項２０】
ロック手段が、弾性の止め輪（１６０）を含むことを特徴とする、請求項１９に記載の装置。
【請求項２１】
テレスコピックに展開可能なアームの部材（１２４）のうちの一つが、テレスコピックに展開可能なアームを展開する際、止め輪（１６０）が一旦拡張されるとテレスコピックに相対移動可能な、二つの部材のそれぞれに用意された溝に結びつくような、ロックの止め輪（１６０）を確実に伸ばすのに適合した円錐体（１２６）を備えていることを特徴とする、請求項１９または請求項２０のいずれかに記載の装置。
【請求項２２】
立方体の八つの角が、八面体の形で規定されていることを特徴とする、請求項１から請求項２１のいずれか一つの装置。
【請求項２３】
シート（２００）が、トリコット編み７によって形成されていることを特徴とする、請求項１から請求項２２のいずれか一つに記載の装置。
【請求項２４】
シート（２００）が、金属メッキを施したポリエステル・チュールによって形成されていることを特徴とする、請求項１から請求項２２のいずれか一つに記載の装置。
【請求項２５】
シート（２００）が、例えばポリエステルを主成分とした、例えばニッケルのような金属で被覆した熱可塑性の糸によって形成されていることを特徴とする、請求項１から請求項２４のいずれか一つに記載の装置。
【請求項２６】
シートが、断面の細長い被覆用の金属線（２４４）を含むことを特徴とする、請求項１から請求項２５のいずれか一つに記載の装置。
【請求項２７】
シート（２００）が、シート（２００）の稜線の位置に形成された折り返し（２１０）を介して、展開可能な支持骨組み（１００）のアーム（１２０、１３０）に備え付けられていることを特徴とする、請求項１から請求項２６のいずれか一つに記載の装置。
【請求項２８】
揚力を受ける帆（３１０）を含む、空気力学的挙動制御手段を含むことを特徴とする、請求項１から請求項２７のいずれか一つに記載の装置。
【請求項２９】
揚力を受ける帆（３１０）が、多孔質のシートによって形成されていることを特徴とする、請求項２８に記載の装置。
【請求項３０】
揚力を受ける帆（３１０）が、一方では、展開可能な支持骨組み（１００）の二つの先端（１５０、１５２）に、他方では、張り綱（３１２、３１４）を介してテレスコピックの支柱（１２０）の両端を介して、引っ掛けられていることを特徴とする、請求項２８または請求項２９のいずれかに記載の装置。
【請求項３１】
構造体を垂直軸の回りに回転させるのに適した対称手段（３２２、３２４）を含む、空気力学的挙動制御手段を含むことを特徴とする、請求項１から請求項３０のいずれか一つに記載の装置。
【請求項３２】
回転制御手段が、二つの対称的なシート（３２２、３２４）を含むことを特徴とする、請求項３１に記載の装置。
【請求項３３】
回転制御手段が、装置のシートの中に形成された開口部を含むことを特徴とする、請求項３１に記載の装置。
【請求項３４】
二つのシート（３２２、３２４）が、テレスコピックの支柱（１２０）と張り綱（１４０）との間に固定されていることを特徴とする、請求項３２に記載の装置。
【請求項３５】
展開可能な支持骨組みが少なくとも一つの水平下部稜線を呈するように、支持骨組みを方向付けるのに適した空気力学的挙動制御手段（３１０、３２２、３２４）を含むことを特徴とする、請求項１から請求項３４に記載の装置。
【請求項３６】
水平面において、展開可能な支持骨組み（１００）が、三つの水平下部稜線を含むように、確実に方向付けるに適した空気力学的挙動制御手段（３１０、３２２、３２４）を含むことを特徴とする、請求項１から請求項３５のいずれか一つに記載の装置。
【請求項３７】
火薬式のジェネレータ（１８０）を含む制御手段を含むことを特徴とする、請求項１から請求項３６のいずれか一つに記載の装置。
【請求項３８】
火薬式のジェネレータが、二つの段階：緩慢に圧力が上昇する第一段階と、それに続く圧力上昇がより急速に行われる段階との、二つの段階を規定するために構成されていることを特徴とする、請求項３７に記載の装置。
【請求項３９】
火薬式のジェネレータが、緩慢に圧力が上昇する段階と圧力上昇がより急速に行われる二つの連続する段階を規定するのに適した、異なる燃焼特性を呈する、二つの火薬組成物の固形物（１９０、１９２）を含むことを特徴とする、請求項３７または請求項３８のいずれか一つに記載の装置。
【請求項４０】
張り綱（１４０）が、展開可能な構造体（１００）の二つの先端の間に固定されていることを特徴とする、請求項１から請求項３９のいずれか一つに記載の装置。
【請求項４１】
張り綱（１４０）が、シート（２００）の縁の上に形成された折り返しの中に設置されていることを特徴とする、請求項４０に記載の装置。
【請求項４２】
十二本の張り綱（１４０）が含まれていることを特徴とする、請求項３６または請求項３７のいずれか一つに記載の装置。
【請求項４３】
支持骨組み（１００）が、シート（２００）が確実に最適な状態で展開するように、少なくとも一本の張り綱（１４０）を含むことを特徴とする、請求項１から請求項４２のいずれか一つに記載の装置。
【請求項４４】
張り綱（１４０）が、シートエレメント（２００）の稜線に従って配置されていることを特徴とする、請求項４３に記載の装置。
【発明の詳細な説明】
【技術分野】
【０００１】
本発明は、電磁反射装置の分野に関するものである。
【０００２】
本発明は、電磁反射装置のあらゆる潜在的な応用に関するものであり、例えば、移動車両等の位置の割り出しの標識として用いられるものであるが、それに限定されるものではない。
【背景技術】
【０００３】
電磁反射装置となる手段が、既に幾つも提案されてきている。
【０００４】
参照することの出来る文献としては、例えば仏国ＦＲ−Ａ−２７２３２６３号明細書，欧州特許第０１８２２７４号明細書，仏国特許発明第１２２６２６３号明細書，英国特許第９１３５４７号明細書，米国特許第３，２１７，３２５号明細書，米国特許第３，０４１，６０４号明細書，米国特許第３，１１５，６３１号明細書，米国特許第３，５６８，１９１号明細書，英国特許第２１８８７８３号明細書，英国特許第２１８９０７９号明細書，仏国特許発明第２０７３３７０号明細書，米国特許第４，１１９，９６５号明細書，米国特許第４，０９６，４７９号明細書，米国特許第４，０７２９，４８号明細書，米国特許第３，６６０，８４３号明細書，米国特許第３，２７６，０１７号明細書などがある。
【０００５】
例えば、文献ＦＲ−Ａ−２７２３２６３において、展開可能な支持骨組みを含む装置は、展開状態において、複数のシートセグメントを有し、それらのシートセグメントが、組み合わせによって反射多面体を形成するように構成されている。
【特許文献１】仏国ＦＲ−Ａ−２７２３２６３号明細書
【特許文献２】欧州特許第０１８２２７４号明細書
【特許文献３】仏国特許発明第１２２６２６３号明細書
【特許文献４】英国特許第９１３５４７号明細書
【特許文献５】米国特許第３，２１７，３２５号明細書
【特許文献６】米国特許第３，０４１，６０４号明細書
【特許文献７】米国特許第３，１１５，６３１号明細書
【特許文献８】米国特許第３，５６８，１９１号明細書
【特許文献９】英国特許第２１８８７８３号明細書
【特許文献１０】英国特許第２１８９０７９号明細書
【特許文献１１】仏国特許発明第２０７３３７０号明細書
【特許文献１２】米国特許第４，１１９，９６５号明細書
【特許文献１３】米国特許第４，０９６，４７９号明細書
【特許文献１４】米国特許第４，０７２９，４８号明細書
【特許文献１５】米国特許第３，６６０，８４３号明細書
【特許文献１６】米国特許第３，２７６，０１７号明細書
【発明の開示】
【発明が解決しようとする課題】
【０００６】
これにおいて、本発明は、先行技術に勝る利便性を呈する新しい手段を提案することを目的とする。
【課題を解決するための手段】
【０００７】
このような目標は、第一の様相に従った電磁反射器によって、本発明の範囲内において達成されるものであり、該電磁反射器は、展開可能な支持骨組みが、少なくとも一つのテレスコピックに展開可能なアームを含むことを特徴とし、少なくとも一つのシートエレメントが、展開状態において反射面を形成するように構成された、展開可能な支持骨組みを含むものである。
【０００８】
本出願人が幾多の実験と研究を重ねた上で確認したところによれば、このようなテレスコピックに展開可能なアームを用いることにより、それぞれのシートエレメントを完全に平らに展開することが可能となり、結果、既知の装置の反射器よりも優れた性能を発揮する反射器が実現されるということである。
【０００９】
本発明のもう一つの特徴的な利点は、展開可能な支持骨組みが、複数のシートエレメントを有し、それら複数のシートエレメントが、組み合わせによって、展開状態において反射多面体を形成するように構成されている点である。
【００１０】
本発明のもう一つの特徴的な利点は、展開可能な支持骨組みが、テレスコピックに展開可能なアームを有する中央結節部を含む点である。
【００１１】
本発明の有利な実施態様の一つとして、装置は、テレスコピックの主要支柱を有する中央結節部によって構成される支持枠組みを含み、該主要支柱は、関節が自由に動く四つのアームにつながれている。
【００１２】
この変形例として、支持骨組みは、六つのテレスコピックのアームを有することも考えられる。
【００１３】
本発明のもう一つの特徴的な利点は、装置が八面体状に構成されている点である。
【００１４】
前述の目標は、第二の様相に従った電磁反射器によって、本発明の範囲内において達成されるものであり、該電磁反射器は、反射面を形成するように構成された少なくとも一つのシートエレメントを有し、そのシートが、トリコット繊維で形成されていることを特徴とする。
【００１５】
本出願人が実際に確認したところによれば、このようなシートは、ある程度の伸びも許容するものであり、最適な展開を可能にする。
【００１６】
さらにまた、トリコット繊維で形成されたシートは、折り畳むことができ、結果、収納にも場所をとらず、展開後も折り目が残さず、大きな順応性を提供する。
【００１７】
本発明のもう一つの特徴的な利点は、支持骨組みが、シートが確実に最適な状態で展開するように、少なくとも一本の張り綱を含む点である。
【００１８】
本発明のもう一つの特徴的な利点は、張り綱が、シートエレメントの稜線に従って配置されている点である。
【００１９】
本発明の装置はさらに、展開状態で自由落下に任せた瞬間から、その装置の方向付けと、それに加えて、回転とを制御するに適した手段を備えていることが好ましい。
【００２０】
前述の目標は、第三の様相に従った電磁反射器によって、本発明の範囲内において達成されるものであり、該電磁反射器が、複数のシートエレメントを有し、それらシートエレメントが、組み合わせによって反射多面体を形成するように構成され、さらに、骨組みが少なくとも一つの水平外部稜線を呈するように、支持骨組みを方向付けるのに適した空気力学的挙動を制御する手段を備えていることを特徴とする。
【００２１】
本出願人は、この特徴が、高い高度において平均的な応答を得るには重要であることをつきとめた。
【００２２】
本発明のもう一つの特徴的な利点によると、水平外部稜線は、支持骨組みの下部稜線である。
【００２３】
本発明の他の特徴的な利点によると、方向付けと回転を制御するかかる手段は、少なくとも一つの揚力を受ける帆を含むものである。
【００２４】
本発明の他の特徴、目的や利点は、添付図面を参照しつつ、以下の詳細な説明を読むことで明らかになるが、添付図面はあくまで例示的なものであり、それに限定する趣旨のものではない。
【００２５】
・図１は本発明に合致した、装置全体を概略的に示す透視図であり、
【００２６】
・図２は、本発明に合致した支持骨組みを部分的に示したものであり、部分的に展開されたものを示しており、
【００２７】
・図３は、同じく本発明に合致した支持骨組みを示したものであり、折り畳まれた状態になっており、
【００２８】
・図４、図５及び図６は、本発明に合致した装置の、三つの連続する段階で展開の順序を示しており、
【００２９】
・図７の曲線は、展開が確実に行われるようにする、火薬式ガスジェネレータのガスの圧力が、時間の経過と共に上昇していくグラフ曲線を示しており、
【００３０】
・図８は、本発明に合致した、展開ガスを発生させるのに適した、火薬手段の好ましい構成を概略的に示しており、
【００３１】
・図９、図１０、図１１及び図１２は、四つの連続する展開段階に際して、本発明に合致した、テレスコピック支柱をロックする手段を示しており、
【００３２】
・図１３は、いくつかの半径方向の外角のうちの一つの、アームと張り綱と協調して働く、本発明に合致したシートエレメントの部分図を示しており、
【００３３】
・図１４は、中央の結節部の近くの、半径方向の内角区域内において、二本のアームと協調して働くシートの詳細図を示しており、
【００３４】
・図１５は、本発明の範囲内で、シートの実現に用いるのが好ましい、被覆された糸を示しており、
【００３５】
・図１６は、本発明に合致した、トリコット繊維の編目を概略的に示しており、そして、
【００３６】
・図１７は、本発明に合致した装置の展開状態を概略的に示しており、特に空気力学的挙動を制御する手段を備えているものを強調している。
【００３７】
まず、本発明に合致した、展開可能な支持骨組み１００の構造を説明する。
【００３８】
この骨組み１００は、反射シートエレメント２００の支えとなるよう構成されている。骨組み１００は、さらに、本発明に合致した反射装置の、素早く、そして自律的な展開に適合しており、その全体的な形状は、好ましくは八面体である。この骨組み１００は（シートエレメント２００によって形成される面の直交）、幾何学的な精度を、これらの部材によって構成されるそれぞれのパネルの平面性が得られるように保証するために、反射器の効率を保証するのに適合している。
【００３９】
必須要素として、本発明に合致した展開可能な支持骨組み１００は、六つのアームを有する中央結節部１１０を含み、該アームは、展開後、中央結節部１１０から二本ずつそれぞれが直交した位置にくるようになされている。
【００４０】
さらに正確に言うと、添付図面に示された好ましい実施態様によると、展開可能な支持骨組み１００は、このように、結節部１１０に結ばれたテレスコピックの中央支柱１２０と、関節のところが動くようにされている結節部１１０の四つのアーム１３０を含む。
【００４１】
そういうわけで、添付の図１に見られるように、展開状態の、本発明に合致した装置は、四つのアームとそれぞれが互いに合致している三つの平面に従って、二つずつ分配されて直交している六つのアームの構造を規定している。
【００４２】
さらに正確に言うと、添付図面に示された好ましい実施態様に従い、中央支柱１２０は、二本のテレスコピックな部材１２２、１２４によって形成される。部材１２２は、支柱１２０の主要外部ロッドまたは管によって構成されており、その内部にスライドによって、テレスコピックな部材１２４を構成する、断面積のより小さい第二ロッドを収納する。
【００４３】
部材１２２、１２４は、直線的であり、長さはほぼ同じである。
【００４４】
また補助的なアーム１３０も直線的であり、長さも前述の部材１２２、１２４の長さにほぼ等しい。
【００４５】
テレスコピックな支柱１２０の部材１２２は、結節点１１０の一端によって固定されており、該部材の一端のところから部材１２４が突き出ている。
【００４６】
結節部１１０は、貫通する導管１１２を有する部品で形成されている。
【００４７】
この導管１１２は、スライドによって、支柱の同軸のテレスコピックな部材１２４を収納する。
【００４８】
また結節部１１０は、外縁に四つの座金１１４を有し、該座金の軸１１６の周囲で、旋回アーム１３０のそれぞれは関節がうごくようになされている。
【００４９】
軸１１６は、支柱１２０と導管１１２に対し、長手方向軸で横切る。座金１１４は、導管１１２の軸の周囲を、互いに９０°に等分割されている。
【００５０】
このように、座金１１４の軸１１６は、導管１１２の軸と支柱１２０の長手方向軸とに対し、全体的に周辺方向に方向付けられている。
【００５１】
座金１１４の軸１１６は、それぞれ二本ずつで平行そして直交である。
【００５２】
それぞれの支柱１２０と補助アーム１３０によって規定された、それぞれが対となったアームは、全体的に三角形の形状のシートエレメント２００を有する。
【００５３】
そういうわけで、本発明に合致した装置は、添付の図１７に見られるように、一旦展開されると、凹みのある立方体の八つの角を規定する。このように、本発明に合致した装置は、八面体を呈する。
【００５４】
限定的な意味ではなく、あくまで一例として、アーム１３０とテレスコピックな支柱の部材１２２、１２４のそれぞれの長さは９００ｍｍ程度とする。
【００５５】
また、畳んだ状態では、図３に示したように、本発明に合致した装置が占める円筒形の立体の長さは、１ｍ程度で直径は５５ｍ程度である。
【００５６】
好ましくは、本発明に合致した装置は、火薬材料を主体とするガスジェネレータを含む展開手段につながれている。
【００５７】
そのため、円環面状継ぎ手１４２のような気密性の漏れ防止リングを二つのテレスコピックな部材１２２、１２４の間に設置する。そして、支柱１２０の主な部材１２２は火薬式のガスジェネレータ１８０につながれ、該ガスジェネレータは、部材１２２内部空間に噴射するものである。
【００５８】
このようなジェネレータ１８０は、それ自体が、点火プラグという名称で既知の構成で形成されていてよく、該点火プラグは、部材１２２の第二端部、つまりは、支えとなる結節部１１０に向かい合う端部に固定されていてもよい。
【００５９】
ガスジェネレータ１８０の全体的な構造は、当業者には周知なので、その詳細は以下に説明しないこととする。
【００６０】
当業者なら分かることだが、そのようなガスジェネレータ１８０は、テレスコピックな支柱の部材１２２の中に加圧したガスを発生させるものである。このように、ガスの発生は、部材１２４に圧力をかけ、また、これにジャッキかピストンのような方法で展開させる。
【００６１】
必須要素として、ジェネレータ１８０は、好ましくは、撃鉄１８８によって発火させることのできる起爆剤１８６とつながれた、少なくとも一つの火薬式の構成１８４を有するボディ１８２を含み、該撃鉄自体が、制御用レバーまたは柄１８９につながれているものである。
【００６２】
火薬式のガスジェネレータの使用は、装填エネルギー／外形寸法の優秀な比率を享受することができる。
【００６３】
添付図面に見られるように、ガスジェネレータ１８０は、テレスコピックな中央支柱１２０内部に組み込まれている。
【００６４】
燃焼から生じるガスは、中央支柱１２０の中に開放され、該中央支柱は、圧力の作用（ジャッキ効果）により、伸びている（部材１２４が基礎１２２の円筒状の断片に対して展開している）ものである。
【００６５】
また、このように中央支柱１２０の伸びは、張り綱１４０を介して周辺のアーム１３０を引っ張ることによって、その構造体の展開を確実に行う。
【００６６】
実際、添付図面に見られる通り、本装置の互いに隣接する頂点の一対ごとに、その間に挟まるような形で、つまりは、アーム１３０の両端とテレスコピックな支柱１２０との間に、張り綱１４０が用意されている。
【００６７】
そういうわけで、本装置の六つの頂点のそれぞれは、張り綱１４０のそれぞれを介して、互いに隣接する四つの頂点に結びつけられている。
【００６８】
このように、本装置は、合計十二本の張り綱１４０を含む。
【００６９】
張り綱１４０は、好ましくはＫｅｖｌａｒ（登録商標）のような、あまり伸びない材料製である。
【００７０】
各張り綱１４０の長さは、展開状態で、構造体の二つの隣接する頂点の間を隔てる長さに等しく、それは、構造体の展開状態において、張り綱がぴんと張り、アーム１２０と１３０を正確にしっかりと維持するようになっている。
【００７１】
好ましくは、本発明の範囲内で、ガスジェネレータ１８０は、二つの連続する作動の異なる動作を規定するのに適合している：緩慢な段階と、そして急速な段階である。
【００７２】
最初の緩慢な段階は、テレスコピックな支柱１２０の中の緩慢な圧力の上昇を可能にし、それにより、構造体を損なうことなく、確実に展開させる。典型的には、この第一段階を通じて、応力は、数十ニュートン程度である。
【００７３】
その後に続く急速な段階は、反射器の加圧に対応しており、また、典型的には、３００ニュートン程度の大きな応力を必要とする。
【００７４】
圧力上昇の様子は添付の図７に図式化されている。
【００７５】
このような二つの連続する制御手順で行われる動作を得るために、ガスジェネレータ１８０は、例えば、図８に示したような、二つの別々の集合１９０、１９２という形で調整された組成物を含んでもよい。
【００７６】
燃焼が緩慢な第一段階を確実に行う第一の集合１９０は、比較的緩慢な作動状態（いわゆる「煙草型」といわれる燃焼）を呈する仕方で、調整そして圧縮された単一の円筒形のブロックから形成される。
【００７７】
第二の集合１９２は、急速な燃焼の作動状態を特徴とする、圧縮組成物の複数（たとえば五個）のブロックから形成される。
【００７８】
テレスコピック支柱１２０と、周辺で関節のところが動くようになったアーム１３０の材料は、適切なあらゆる材料から形成される。好ましくは、金属または、複合材料を主成分とするものから実現される。
【００７９】
既に示したように、構造体の展開は、補助ロッド１２４が移動する際に遂行され、張り綱１４０による旋回アーム１３０の牽引を介して行使される。
【００８０】
しかしながら、旋回アーム１３０の展開を補助する手段が、ばね部材１７０として用意されていることが好ましい。
【００８１】
添付図面に示された実施態様においては、これらのばね部材１７０は、テレスコピックな支柱１２０の基礎部材１２２と、それぞれの揺れ動くアーム１３０との間に挿入されている。
【００８２】
さらに詳細には、添付図面に示された具体的な実施態様においては、中央支持結節部１１０の近くの、テレスコピックな支柱１２０と揺れ動くアーム１３０それぞれとの間に、エラストマーのブロック１７０が用意されている。
【００８３】
図３に示されたように、畳んだ状態では、エラストマーのブロック１７０は圧縮されている。
【００８４】
本発明に合致した装置の展開は、図４、図５及び図６に図式化されている。
【００８５】
図４に見られるのは本装置の畳まれた状態であり、揺れ動くアーム１３０が、テレスコピックな支柱１２０の基礎部材１２２に沿って並べられ、補助ロッド１２４は基礎部材１２２の中に引き込まれている。
【００８６】
図５には、本装置の展開の始まりが示されており、ロッド１２４が、基礎部材１２２の外側で展開し始め、また、四つのアーム１３０が、それぞれ旋回を始めているところであり、それらは、エラストマーのばね１７０を補助に、張り綱１４０によって行使される牽引力によってなされるものである。
【００８７】
最後に、図６には、本発明に合致した、展開状態の構造体、揺れ動く四つのアーム１３０は、その際、中央支柱１３０の軸と直交する平面内で、同じ平面上にあり、十二本の張り綱１４０はぴんと張った状態になっている。
【００８８】
好ましくは、本発明に合致した装置は、さらに、アーム１３０を展開状態でロックする装置を含む。
【００８９】
このようなロック装置は、幾つもの実施態様の対象となりうる。
【００９０】
このようなロック装置は、いうまでもなく、幾何学的精度を保つ働きもする。
【００９１】
このようなロック装置は、同様に、ガスの温度の低下の結果として生じる、テレスコピックな支柱１２０の内部圧力の低下の影響から開放されることを可能にする。
【００９２】
本発明の範囲内で、前述のロック手段は、金属の止め輪１６０を主体に形成されることが好ましく、本装置が一旦展開状態となると、支柱１２０の基礎部材１２２とテレスコピックな部材１２４上に形成される溝１２３、１２５のそれぞれが、間に入るように構成されている。
【００９３】
このようにして、テレスコピックな支柱１２０の二方向の動きを封じることができる。
【００９４】
このようなロック手段の構造と手段とが、添付の図９から図１２に示されている。
【００９５】
これら図面に見られるのは、座金１１４を備える中央支持結節部１１０だけでなく、支柱１２０の基礎部材１２２とテレスコピックな部材１２４の端部である。
【００９６】
休止状態では、金属の止め輪１６０は、結節部１１０の内部に配置されている。休止状態では、止め輪１６０の直径は、テレスコピックな管１２４の外径よりも大きい。止め輪１６０は、このように、基礎部材１２２の溝１２３の中に設置されている。このように、止め輪１６０とテレスコピックな支柱の管１２４との間に摩擦が起こらない。
【００９７】
しかしながら、テレスコピックな管１２４は、基礎部材１２２のところの、内側の端部に末広がりの円錐体１２６を備え、それは、その端部の方向に拡がっている。前述の円環面状の継ぎ手１４０は、好ましくは、この末広がりの円錐体１２６のところに用意される。
【００９８】
円錐体１２６の外径は止め輪１４０の休止状態での内径よりも大きい。
【００９９】
このようにして、テレスコピックな部材１２４の移動の際、円錐体１２６は、止め輪１４０に作用して、これを開かせる。テレスコピックな部材１２４の円錐体１２６は、その外側の表面に前述の溝１２５を備える。
【０１００】
ピストン１２４の溝１２５が、図１１に見られるように、止め輪１４０の正面にくると、止め輪は、溝１２５の内部で、弾性によって閉じられ、その結果、支柱の動きを封じる。
【０１０１】
このようにして形成されたロック装置は、数ある中でも次のような利点を呈する：部品数の削減、容易かつ効率的なロック、温度に対する高い耐久力、支柱が動く際に起こる摩擦の問題の解決、耐用年数の増加。
【０１０２】
本発明に合致した変形実施例において、管１３０のそれぞれ、従って支柱１２０の基礎部材１２２と部材１２４それ自体もそれぞれテレスコピックにであるが、つまりは、それぞれが、それぞれの軸に対しスライドすることのできる少なくとも二つの部材で構成されているということであり、それによって確実に長さを増すことができるようになっている。
【０１０３】
同時に、この変形例は、展開するときは振幅が大きく、収納の際は小さな容積で嵩張らない構造体を同時に実現することを可能にする。
【０１０４】
既に示したように、前述の展開可能な支持骨組み１００は、反射器となる幾つものシートエレメントに結ばれたものである。
【０１０５】
さらに詳しくは、支持骨組み１００は、八面体の凹みのある立方体の八つの角を形成するのに適した、十二枚の三角形のパネル２００を有する。
【０１０６】
これらのパネル２００は、ある一定の周波数範囲での電磁波を反射するように構成されている。
【０１０７】
パネル２００は、複数の折り返し、または鞘２１０に四つずつ固定されており、それらは、骨組みのアーム１３０を覆うことによって、包装と構造物との連係を確実に行う。
【０１０８】
テレスコピックな支柱１２０に隣接するパネル２００の稜線は、同様に、四つのパネルが共有する、一つの折り返しまたは鞘を備えている。しかしながら、テレスコピックの部分１２２についている折り返しは、管がスライドできるよう、もっと幅が広くなっている。
【０１０９】
折り畳んだ状態では、この折り返しは、折り畳まれた部分にしわを寄せるものである。
【０１１０】
テレスコピックな支柱の基礎部材１２２上に設置された折り返しは、好ましくは、ガスジェネレータ１８０の作動に続く、皮膜の温度上昇に耐えうる材料で実現される。
【０１１１】
図１３に見られるように、三角形のパネル２００のそれぞれは、半径方向の外側の開放端に、小さな折り返し２２０を備え、その中において、張り綱１４０の一本に、それぞれがはめ込まれている。張り綱１４０のそれぞれは、結ばれた折り返し２２０の中をスライドすることができる。
【０１１２】
展開の際には、ガスジェネレータ１８０から発生したガスの圧力が、中央支柱１２０の軸の中で推進力となり、張り綱１４０で分割され、また、反射器のシート２００をぴんと張ることができる。
【０１１３】
図１４は、パネル２００の半径方向の内角を示している。
【０１１４】
好ましくは、パネル２００のそれぞれは、そのそれぞれの角に、補強材２３０を備えている。
【０１１５】
反射器部材２００のそれぞれは、好ましくは、トリコット編み上げられた糸２４０を主体に形成されている。
【０１１６】
本発明の範囲内で、好ましくは、図１５に示されているように、ニッケルのワイヤ２４４で被覆されたポリエステル糸２４２で実現されたトリコットの編物７に関するもの（つまりポリエステル糸２４２の周囲にニッケルの細い巻き紐２４４をらせん状に巻き付けたもの）である。
【０１１７】
糸のメートル番手は、２２番（２２０００ｍの糸が重さ１■）である。
【０１１８】
ポリエステル糸２４２の直径は、典型的には、２００μｍと２５０μｍの間に含まれる。
【０１１９】
シートの密度は、典型的には８０〜８５ｇｒａｍ／ｍ2の間に含まれる。
【０１２０】
さらに、好ましくは、被覆糸２４４の断面全体は細長く、例えばほとんど長方形に近いものであり、それにより、糸２４０の、二つの筒状断片間の、それぞれの隣接点の電気接触を可能にする。
【０１２１】
この解決法は、本発明の範囲から外れるものではなく、なぜなら、これより、非常に導電性の良いワイヤを得て、機械的特性に優れたワイヤを用いつつ、ワイヤとワイヤの基礎的な接触の質の改善が可能になるためである。
【０１２２】
他方、トリコット編みの方法は、所定の編み目のサイズでの材料で、単純かつ安価な実現を可能にする。
【０１２３】
言うまでもなく、本発明は、三角形のパネル２００のそれぞれについてこれまでに述べてきた具体的な実施態様に限定されるものではない。
【０１２４】
例えば、ポリエステルの基礎糸２４２の代わりに、例えばポリアミドのような同等の材料であれば、どのようなものを用いてもよい。
【０１２５】
また、ニッケルの被覆糸２４４の代わりに、例えば鋼または銅に、ニッケルを加えたものなどの同等の材料であれば、どのようなものを用いてもよい。
【０１２６】
さらにもう一つの別の変形例においては、反射器の三角パネル２００のそれぞれを、金属メッキをしたポリエステルの薄地の網織りを主体としたもので形成してもよい。
【０１２７】
そのような金属メッキをしたポリエステルの薄地の網織りが主体のパネルは、綿、絹、熱可塑性材質またはそれと同等のものを主体として形成され、例えば全体が六角形の、編み目の網状を封じるように組み立てられたものにしてもよい。そのメッキの実施は、例えば、１μｍ程度の厚みのニッケルを堆積させることによって得られる。基礎となる糸の直径は、典型的には、２００μｍ程度であり、パネルの密度は３０〜４０ｇｒａｍ／ｍ2である。
【０１２８】
既に提案したように、本発明の装置は、好ましくは、自由落下の際の、反射器の空気力学的挙動を制御するように設計された手段３００を含んでいる。
【０１２９】
詳細には、このような手段３００は、自由落下の際に、場合によっては反射器の方向付けと回転とを制御する機能をもつものである。
【０１３０】
さらに詳細には、本発明の範囲内で、手段３００は、有利には以下のことを完全に行えるように構成されている：
【０１３１】
図１７に見られるような、稜線（少なくとも一つの水平外部稜線）上の平衡を保つ位置、
【０１３２】
・それ自体に取り付けられた、反射器の垂直軸の周囲での所定の回転速度が一定していること
【０１３３】
・平衡位置の周りの安定性が良好なこと
【０１３４】
・できるだけ短い時間で安定化させることができること（反転段階）
【０１３５】
・自由落下の速度ができるだけ遅いこと、そして
【０１３６】
・（空気力学的揚力なしで）偏流ができるだけないこと。
【０１３７】
変形例としては、手段３００は、図１７に示されているように、平衡位置を一つの水平稜線上ではなく、三本の水平稜線上で制御するのに適合されることができる。
【０１３８】
実際、本発明の範囲内で重要と考えられるのは、一つの角度の上に平衡位置を置かないようにすること、つまり、反射器を下方向に導く角度で、つまり、アーム１３０や垂直支柱１２０のうちの一つで、方向付けることを避けることである。
【０１３９】
その目的のために、様々な方向付け手段を使用することが考えられる。
【０１４０】
本発明の範囲においては、方向付け手段３００は、好ましくは、パラシュート形のシートのドーム３１０を含む。このシート３１０は、例えば、図１７に見られるように、二つの上部周縁結節部１５０、１５２とテレスコピックに中央支柱１２０の両端に結びつけられた、非常軽量で非常に多孔質なシートの正方形によって形成されてもよい。この図によると、シート３１０は、上部結節部１５０、１５２に直接固定されている。また、シート３１０は、張り綱３１２、３１４を介することにより、テレスコピックに中央支柱１２０の両端に結びつけられる。
【０１４１】
典型的には、シート３１０は、１０６０×１０６０ｍｍであり、また、そのシート３１０を中央支柱１２０の両端に結びつける、張り綱３１２、３１４の長さは、５００ｍｍ程度である。
【０１４２】
シート３１０に多孔質の材料を使用することは、落下速度を損なうことなく、抵抗によって揚力を解消することを可能にする。
【０１４３】
また、図１７に見られるように、制御手段３００は、好ましくは反射器が落下する際に、垂直軸に沿って回転運動を伝えるように構成された部材３２０を含む。
【０１４４】
これらの手段３２０は、結節部１１０の中央と、張り綱１４０によって規定される稜線のうちの一つとの半ばを通過する、垂直軸に対して対称的な位置を呈する。
【０１４５】
さらに詳細には、好ましくは、このような手段３２０は、二つの非常に軽量で多孔質ではない小さな三角形３２２、３２４によって形成され、該三角形は、傾斜した上部パネル上に配置され、中央結節部１１０に対して対称となるように、中央支柱１２０の先端に配置されている、つまりは、テレスコピック支柱１２０の、二つの筒状断片１２２、１２４と二本のアーム１３０との間にそれぞれ配置されているものであり、該二本のアームは、垂直面において同一平面上に位置し、中央結節部１１０から上方向に導かれる。
【０１４６】
これら二つの小さな覆いは、全体として八面体の頂点に隣接しており、既に言及した垂直軸の周囲の回転運動を伝えることを可能にする。
【０１４７】
言うまでもなく、本発明は既に述べられた具体的な実施態様に限定されるものではなく、その趣旨ににかなったあらゆる変形例にまで及ぶものである。
【０１４８】
例えば、既に述べた八面体反射器は（英語系の専門用語では、ｃｈａｆｆと呼ばれる）、金属製の、または金属メッキした薄片につながれてもよい。
【０１４９】
また、サイズの違うものも含めた、例えば、３から１０の、複数の八面体をつないでもよい。
【０１５０】
本発明の他の変形例に従って、反射器のパネルの中に形成された、対称または非対称の穴によって確実に回転を行うようにする、シートの三角形３２２、３２４を補うこと、または、代用することに構成してもよい。
【０１５１】
さらに、本発明は、八面体の実現のみに限定されるものではなく、あらゆる多面体の実施にまで及ぶものである。
【図面の簡単な説明】
【０１５２】
【図１】発明に合致した、装置全体を概略的に示す透視図
【図２】本発明に合致した支持骨組みの部分展開図
【図３】本発明に合致した支持骨組みの折り畳まれた状態の図
【図４】本発明に合致した装置の、展開の第１段階の図
【図５】本発明に合致した装置の、展開の第２段階の図
【図６】本発明に合致した装置の、展開の第３段階の図
【図７】火薬式ガスジェネレータのガスの圧力の時間経過のグラフ曲線
【図８】火薬手段による展開ガス発生の構成
【図９】テレスコピック支柱をロックする手段の展開の第１段階の図
【図１０】テレスコピック支柱をロックする手段の展開の第２段階の図
【図１１】テレスコピック支柱をロックする手段の展開の第３段階の図
【図１２】テレスコピック支柱をロックする手段の展開の第４段階の図
【図１３】アームと張り綱と協働する、シートエレメントの部分図、
【図１４】二本のアームと協働するシートの部分図
【図１５】シートに用いる糸の部分拡大図
【図１６】シートに用いるトリコット繊維の編目の概略図
【図１７】本発明に合致した装置の展開状態の概略図、特に空気力学的挙動制御手段を示す図
【符号の説明】
【０１５３】
１００  支柱骨組み        構造体
１２０  テレスコピックな支柱        アーム
１３０  旋回アーム
２００  シートエレメント
２４４  金属線
３１０  空気力学的挙動制御手段        帆
３１２  張り綱
３１４  張り綱
【図７】
2004521544.tif 000003
【国際公開パンフレット】
2004521544.tif 000004
2004521544.tif 000005
2004521544.tif 000006
2004521544.tif 000007
2004521544.tif 000008
2004521544.tif 000009
2004521544.tif 000010
2004521544.tif 000011
2004521544.tif 000012
2004521544.tif 000013
2004521544.tif 000014
2004521544.tif 000015
2004521544.tif 000016
2004521544.tif 000017
2004521544.tif 000018
2004521544.tif 000019
2004521544.tif 000020
2004521544.tif 000021
2004521544.tif 000022
2004521544.tif 000023
2004521544.tif 000024
2004521544.tif 000025
2004521544.tif 000026
2004521544.tif 000027
2004521544.tif 000028
2004521544.tif 000029
2004521544.tif 000030
2004521544.tif 000031
2004521544.tif 000032
2004521544.tif 000033
2004521544.tif 000034
2004521544.tif 000035
2004521544.tif 000036
2004521544.tif 000037
2004521544.tif 000038
【国際調査報告】
2004521544.tif 000039
2004521544.tif 000040
2004521544.tif 000041
2004521544.tif 000042
2004521544.tif 000043
2004521544.tif 000044